(57)【要約】【課題】本発明の課題は、組立性が良好で、使用者が好みに合わせて変更可能なグリップを有する筆記具を簡単な構造で提供することである。【解決手段】本発明は、軸筒本体の把持部に、軟質材からなる内グリップと、該内グリップを覆う軟質材からなる外グリップの二層構造で構成したグリップを配設し、前記把持部の前方に口先部材を装着してなる筆記具の軸筒において、前記内グリップが、グリップ体を複数個、前記把持部に着脱自在に配して構成するとともに、前記複数個のグリップ体が、前記把持部に対して個々に回転自在に外嵌してあり、前記把持部に、螺旋溝を設けたことを特徴とする。【選択図】      図３
2014079911.tif 000002
【特許請求の範囲】
【請求項１】
軸筒本体の把持部に、軟質材からなる内グリップと、該内グリップを覆う軟質材からなる外グリップの二層構造で構成したグリップを配設し、前記把持部の前方に口先部材を装着してなる筆記具の軸筒において、前記内グリップが、グリップ体を複数個、前記把持部に着脱自在に配して構成するとともに、前記複数個のグリップ体が、前記把持部に対して個々に回転自在に外嵌してあり、前記把持部に、螺旋溝を設けたことを特徴とする筆記具の軸筒。
【請求項２】
前記把持部の後端部に、前記螺旋溝を設けていない、圧入装着部を設け、前記複数のグリップ体の前記把持部の最後方に位置する一方のグリップ体が、前記圧入装着部に、圧入によって外嵌してなり、前記一方のグリップ体の前方で隣接する他方のグリップ体が、前記把持部に圧入又は遊嵌状に外嵌するとともに、前記一方のグリップ体よりも前記他方のグリップ体が小さい回転力で回転可能に外嵌してあることを特徴とする請求項１に記載の筆記具の軸筒。
【請求項３】
前記螺旋溝が、長手方向において、前記把持部の先端から、前記一方のグリップ体の後端よりも前方及び一方のグリップ体の先端よりも後方の位置まで設けてあることを特徴とする請求項１または２に記載の筆記具の軸筒。
【発明の詳細な説明】
【技術分野】
【０００１】
本発明は、筆記具の把持部に、グリップを配設してなる筆記具の軸筒に関する。
【背景技術】
【０００２】
従来から、筆記具の把持部に、グリップを配設してなる筆記具の軸筒についてはよく知られている。こうした筆記具の軸筒において、本願出願人は、特許第４６０２２５０号公報「筆記具の軸筒」で、グリップを内側層と外側層の二層構造とした筆記具の軸筒を開示している。
【０００３】
ところで、所望の色や形、ボール径等、使用者の好みは様々であり、こうした使用者の要望を答えるように、同一形態であっても筆記色や軸筒色を複数種類、揃える必要がある。特に、近年では、部品によっては、使用者が好みに合わせて変更可能とする筆記具も開示されている。
【０００４】
筆記具の軸筒においても同様に、実開平６−５０８８４号「筆記具における軸筒」で、使用者の好みに合わせて、外面処理の異なる複数のグリップ体を、着脱自在に配置した筆記具が開示されている。
【先行技術文献】
【特許文献】
【０００５】
【特許文献１】特許４６０２２５０号公報
【特許文献２】実開平６−５０８８４号公報
【発明の概要】
【発明が解決しようとする課題】
【０００６】
しかし、特許文献２など、複数のグリップ体を、着脱自在に配設するだけでは、筆記時等、グリップを直接、把持すると、筆圧などによって不用意に回転してしまうことがあった。こうした問題を鑑みて、容易に回転しないように、グリップと軸筒の把持部との装着力を高めることや回転防止機構を具備することが考えられるが、組立性が低下する問題があった。
【０００７】
本発明はこれらの従来技術に鑑みてなされたものであって、組立性が良好で、使用者が好みに合わせて変更可能なグリップを有する筆記具を簡単な構造で提供することにある。
【課題を解決するための手段】
【０００８】
本発明は、前記問題を解決するために、軸筒本体の把持部に、軟質材からなる内グリップと、該内グリップを覆う軟質材からなる外グリップの二層構造で構成したグリップを配設し、前記把持部の前方に口先部材を装着してなる筆記具の軸筒において、前記内グリップが、グリップ体を複数個、前記把持部に着脱自在に配して構成するとともに、前記複数個のグリップ体が、前記把持部に対して個々に回転自在に外嵌してあり、前記把持部に、螺旋溝を設けたことを特徴とする。
【０００９】
また、前記複数のグリップ体の前記把持部の最後方に位置する一方のグリップ体が、前記把持部に、圧入によって外嵌してなり、前記一方のグリップ体の前方で隣接する他方のグリップ体が、前記把持部に圧入又は遊嵌状に外嵌するとともに、前記一方のグリップ体よりも前記他方のグリップ体が小さい回転力で回転可能に外嵌してあることを特徴とする。
【００１０】
さらにまた、前記螺旋溝が、長手方向において、前記把持部の先端から、前記一方のグリップ体の後端よりも前方及び一方のグリップ体の先端よりも後方の位置まで設けてあることを特徴とする。
【００１１】
本願発明の第１の構成によれば、軸筒本体の把持部に、軟質材からなる内グリップと、該内グリップを覆う軟質材からなる外グリップの二層構造で構成したグリップを配設し、前記把持部の前方に口先部材を装着してなる筆記具の軸筒において、前記内グリップが、グリップ体を複数個、前記把持部に着脱自在に配して構成するとともに、前記複数個のグリップ体が、前記把持部に対して個々に回転自在に外嵌してあり、前記把持部に、螺旋溝を設けてあるため、内グリップと把持部との接触抵抗を低減し、使用者が複数のグリップ体を把持部に配置し易く、配置時等にグリップ体が捻れることを防止することができる。
【００１２】
また、例えば、グリップ体に施した文字や模様などの装飾で、一つの形態をなした内グリップとする場合など、使用者が回転方向での位置を気にせず、グリップ体を軸筒の把持部に外嵌した後、安定した状態で、グリップ体を所望の位置に回転することができ、把持部に形成した螺旋溝によって、グリップ体内面と把持部外面とに隙間が形成されるため、容易に回転することができる。
【００１３】
本願発明の第２の構成によれば、前記複数のグリップ体の前記把持部の最後方に位置する一方のグリップ体が、前記把持部に、圧入によって配設してなり、前記一方のグリップ体の前方で隣接する他方のグリップ体が、前記把持部に圧入又は遊嵌状に外嵌し、前記一方のグリップ体よりも前記他方のグリップ体が小さい回転力で回転可能に外嵌することで、最後方のグリップ体を配設した後、他方のグリップ体を外嵌し、他方のグリップ体のみを回転し易くすることができる。
【００１４】
本願発明の第３の構成によれば、前記第２の構成において、前記螺旋溝が、前記把持部の先端から、前記一方のグリップ体の後端よりも前方及び一方のグリップ体の先端よりも後方の位置まで設けてあることで、グリップ体の内径を共通、把持部の外径を一定、螺旋ピッチ、螺旋の深さが共通であっても、一方のグリップ体と他方のグリップ体の圧入力を異にすることができるので、グリップ体の共通化や螺旋形成等の製造が容易にすることができる。
【００１５】
尚、本発明の軟質材には、ゴム状の弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている弾性体のなかから適宜選定すればよく、内グリップと外グリップを同種又は異種で形成してあってもよい。
【００１６】
本発明は、透明又は半透明の外グリップを配設することで、内グリップが外部から視認することができるので、外形及び／又は色柄が共通の内グリップを配設する場合に比べて、少なくと軸方向で隣設する内グリップの外形及び／又は色柄が異なることによって、装飾的な効果も向上することができるので好ましい。また、外グリップを透明または半透明の軟質材で形成するとともに内グリップも透明または半透明の軟質材で形成すれば、軸筒の把持部が透けて見えるので新たな外観が表現できる。
【００１７】
また、本発明では、複数の内グリップを軸筒の把持部に対して、回転可能に外嵌するために、内グリップの内径は、軸筒の把持部の外径よりも大きくすることが好ましいが、軸筒の把持部に圧入によって配設してあってもよい。但し、使用者が容易に回転可能とするために、グリップ体を回転するのに必要な力は、３００ｇｆ・Ｃｍ以下、より好ましくは、２５０ｇｆ・Ｃｍ以下とすることが好ましい。尚、グリップ体を回転する力は、株式会社
東日製作所社製  トルクメーターを用いて測定することができる。
【００１８】
また、複数のグリップ体は、同形又は外形形状の異なる複数のグリップ体であってもよいが、グリップ体を直列状に配することで、一つの形態や模様を構成することが好ましい。
【発明の効果】
【００１９】
本発明は、本発明の課題は、組立性が良好で、使用者が好みに合わせて変更可能なグリップを有する筆記具を簡単な構造で提供することができた。
【図面の簡単な説明】
【００２０】
【図１】実施例１の筆記具の軸筒を示す外観図である。
【図２】図１における一部省略した要部拡大断面図である。
【図３】図１における内グリップ及び外グリップを取り外した状態を示す一部断面とした図である。
【図４】図１における内グリップ及び外グリップの配設状態を示す図である。
【図５】図２におけるＡ−Ａ断面図である。
【発明を実施するための形態】
【００２１】
次に図面を参照しながら、本発明の筆記具の軸筒の実施の形態を説明するが、本発明は以下の実施形態に限定されるものではない。
【００２２】
図１から図５に示す実施形態の筆記具の軸筒１は、真鍮製の前軸２とポリカーボネート製の後軸３を螺着して得た軸筒本体内に、頭部を複数に分割して拡開可能に形成したチャック１０と、チャック１０の頭部に外嵌した締リング１１と、チャック１０の後部に圧入固着したパイプ状の芯タンク１２と、締リング１１を受け止めるワッシャー１３と、ワッシャー１３と芯タンク１２の間に張架したスプリング１４とからなる機構部が構成し、軸筒本体を長手方向へ振って重量体１３の重力を前軸２の先端開口部方向へ作用すること、又は後軸３から突出したノック体８を押圧することで、鉛芯（図示せず）を繰り出し可能としたシャープペンシルの軸筒である。また、後軸３には外筒４を配設してあり、この外筒４に周り止め部９を形成してある。
【００２３】
この前軸２は、小径の把持部２Ａを形成してあり、この把持部２Ａに、異なる色で着色したシリコーンゴムからなる円筒状で、同形、且つ青色、黄色、赤色の異なる色のグリップ体７Ａ、７Ｂ、７Ｃを３個、直列状に配して前軸２の把持部２Ａに対して回転自在に内グリップ７を外嵌するとともに、内グリップ７の外側に、半透明のシリコーンゴムからなる外グリップ６も、前軸２の把持部２Ａに対して回転自在に外嵌し、外グリップ６と内グリップ７を積層してある。また、前軸２の先端部に形成した雄ねじ部２Ｂに口金５の雌ねじ部を着脱自在に装着して前軸２の把持部２Ａに、外グリップ６及び内グリップ７を配設して筆記具の軸筒１を得ている。また、グリップ体７Ａ、７Ｂ、７Ｃを直列状に３個、配することで、グリップ体７Ａ、７Ｂ、７Ｃの外面に設けた表示部が連続する一つの模様を構成してある。
【００２４】
具体的には、小径の把持部２Ａは、外径が略一定（先端部外径Ｇ＝後端部外径Ｈ）に形成してあり、複数のグリップ体７Ａ、７Ｂ、７Ｃの内径Ｌは略同径としてある。グリップ体７Ａ、７Ｂ、７Ｃの内径Ｌは、把持部２Ａの外径Ｇ、Ｈよりも小さくしてあるため、グリップ体７Ａ、７Ｂ、７Ｃは、把持部２Ａに圧入によって外嵌してある。また、グリップ体７Ａ、７Ｂ、７Ｃには、一方の端面及び他方の端面の外側縁部にＲ状の面取り部Ｒ１を有するとともに、他方の端面には、内側縁部にもＲ状の面取り部Ｒ２を設けて、より回転抵抗を低減してある。
【００２５】
把持部２Ａの前方から一方のグリップ体７Ｃを配設すると、把持部２Ａに設けた螺旋溝２Ｅによって抵抗を低減しているため、螺旋溝２Ｅを設けた把持部２Ａの後端部までは比較的スムーズに達する。その後、螺旋溝を設けていない圧入部２Ｆでは、押し込む力が大きくなるが、一方のグリップ体７Ｃの後端よりも前方及び一方のグリップ体７Ｃの先端よりも後方の位置まで設け、押し込み力を小さくしてあり、把持部２Ａの後端部の圧入部７Ｆで圧入されて、回転可能に外嵌することができる。
【００２６】
また、他方のグリップ体７Ｂの内径Ｌは、対向する軸筒の把持部２Ａに圧入されるがグリップ体７Ｂの内面の全体に螺旋溝２Ｅが位置するため、一方のグリップ体７Ｃよりも、他方のグリップ体７Ｂのほうが小さい回転力で回転可能であり、他方のグリップ体７Ｂのみを回転し易くすることができる。
【００２７】
また、口金５が螺合されることによって口金５の後端と前軸２の外部２Ｃによって外グリップ６が挟持され、外グリップ６の内鍔６Ａに、最前となるもう一方のグリップ体７Ａの先端面が当接し、前軸２の段部２Ｄにより最後となる一方のグリップ体７Ｃ後端面が当接した状態で、外グリップ６を圧縮挟持して配設してあり、筆記や移動時など、内グリップ７及び外グリップ６が不用意に回転することを防止している。
【００２８】
内グリップ７を回転又は交換するには、口金５を取り外した後、外グリップ６を取り外す。この状態で、所望の一方のグリップ体７Ａ又は他方のグリップ体７Ｂ又はもう一方のグリップ体７Ｃを回転する。或いは、内グリップ７を取り外して、順番の変更や新しいグリップ体（図示せず）に交換することができる。尚、一方のグリップ体７Ａと他方のグリップ体７Ｂとは、把持部２Ａに対する圧入力は同一となるが、一方のグリップ体７Ａを、他方のグリップ体７Ｂに比べ小さい回転力で回転可能とすることが好ましい。
【００２９】
また、口金５を螺合する前において、外グリップ６を前軸２に回転可能に外嵌することで、内グリップ７との装飾効果を高めることもできる。また、外グリップ６は、内グリップ７を外嵌した後に外嵌するために、複数個の内グリップ７の外径Ｍが、対向する外グリップ６の内径Ｎよりも小さくして、外グリップ６を回転するときに、内グリップ７が回転し難いようにすることが好ましい。
【００３０】
更に、外グリップ６の内面を外側に向かって拡径するテーパー状に形成し、内グリップ７の外面を外径が略一定のスレート状とすることで、外グリップ６の内面と内グリップ７の外面との隙間が、長手方向において非均一となり、長手方向の相違によって、把持感触を変更することができる。
【００３１】
尚、上記実施例は、内グリップ７を円筒形としてあるが、断面形状を三角形にしたり、肉厚を任意に変えたり等、種々の形状が考えられる。更に、本発明の内グリップの外面には、突部を複数、形成してあってもよい。また、グリップ体の数は、３個に限定されるものではなく、２個、４個など、適宜選択して用いることができる。
【００３２】
更にまた、グリップ体は、硬さ（ＪＩＳ  Ａ）１０、３０、５０、７０等、同硬度を複数個、又は異なる硬度を組み合わせて内グリップとすること等が考えられる。これらの内グリップと組み合わされる外グリップとしては、硬さ（ＪＩＳ  Ａ）１０、３０、５０、７０等、内グリップと同硬度、又は異なる硬度を組み合わせて用いる等、種々の柔らかさのグリップが設定可能となる。
【００３３】
本実施例では、把持部の外径を略一定としてあるが、先端側から後方に向かって拡径するテーパー状に形成し、内グリップ７の内径を略一定とするとともに、把持部先端外径を内グリップの内径よりも小さく、把持部後端外径を内グリップの内径よりも大きくすることで、把持部の前方から一方のグリップ体を配設して外嵌する時に、一方のグリップ体を把持部の先端部及び中央部までは、スムーズに外嵌でき、把持部の後端部で圧入されて、回転可能に外嵌され、他方のグリップ体の内径は、対向する軸筒の把持部の外径よりも大きくしてあるため、軸筒の把持部に対して、回転可能に遊嵌状に外嵌することができる。そのため、圧入によって外嵌した一方のグリップ体よりも、遊嵌状に外嵌した他方のグリップ体ほうが小さい回転力で回転可能であり、他方のグリップ体のみを回転し易くすることができる。また、軸筒の材質は特に限定されるものではないが、把持部が金属製であると、微細な凹凸を設けることが困難となるため、特に効果的である。
【００３４】
また、本実施例では、口金が装着されることによって、回転自在に外嵌した外グリップを、口金の後端と前軸の外段によって圧縮して挟持することで、外グリップが容易に回転しないようにしてあるが、口金を装着後に、外グリップを容易に回転可能としてあってもよい。グリップ握ると、外グリップ及びグリップ体が変形し、グリップ体は、螺旋溝を埋めるように変形するため、筆記時の感触や内グリップの捻れを抑制することができる。
【００３５】
尚、把持部に設ける螺旋溝のピッチは特に限定されるものではないが、０．１ｍｍより小さいと螺旋溝の形成が困難であり、１．０ｍｍを超えると、内グリップと把持部との接触抵抗の低減効果が小さくなる傾向となるため、０．１ｍｍ〜１．０ｍｍが好ましく、０．３ｍｍ〜０．８ｍｍがより好ましい。また、溝の深さは、特に限定されるものではなく、０．０１ｍｍ〜０．５ｍｍ等、均一の深さであっても、部分的に異なる深さであってもよい。さらに、把持部には、螺旋溝加工時のびびり等によって発生した研削加工痕やひきめとなる研削加工痕を有する形状とすることで、螺旋溝と切削加工痕との相乗効果によって、内グリップと把持部との接触抵抗の低減効果が大きくなるので好ましい。
【産業上の利用可能性】
【００３６】
本発明の筆記具の軸筒は、ノック式シャープペンシルに限定されるものではなく、ボールペン等、種々の筆記具の軸筒に利用できるものである。
【符号の説明】
【００３７】
１  筆記具の軸筒
２  前軸
２Ａ  把持部
２Ｂ  雄ねじ部
２Ｃ  外段
２Ｄ  段部
２Ｅ  螺旋溝
２Ｆ  圧入部
４  後軸
５  口金
６  外グリップ
７  内グリップ
７Ａ、７Ｂ、７Ｃ  グリップ体
Ｌ  内グリップ内径
Ｍ  内グリップ外径
Ｎ  外グリップ内径
Ｇ  把持部先端外径
Ｈ  把持部後端外径
【図１】
2014079911.tif 000003
【図２】
2014079911.tif 000004
【図３】
2014079911.tif 000005
【図４】
2014079911.tif 000006
【図５】
2014079911.tif 000007